(57)【要約】【課題】開封後における缶蓋の安全性を確保できると共に、耐食性が良好な缶蓋を提供する。【解決手段】内側パネル部５と外側パネル部７との少なくとも一方に形成された重層部１４を備えている缶蓋１において、第２層１６と第３層１７との折り返し部１９の先端部２０が、缶蓋１を開封することによって第１層１５に形成された破断端の保護部を成しており、かつ、缶蓋１の軸線方向で第２層１６と第１層１５におけるスコア線４側の端部１５Ａとの間隔Ｄ１が、第２層１６と第１層１５におけるスコア線４とは反対側の端部１５Ｂとの間隔Ｄ２よりも狭い。【選択図】図３
2020132252.tif 000002
【特許請求の範囲】
【請求項１】
円板状のパネル部と、
前記パネル部の半径方向で前記パネル部の周縁部よりも内側に前記周縁部に沿って形成された環状のスコア線と、
前記スコア線の内側の部分である内側パネル部と、
前記スコア線の外側の部分である外側パネル部と、
前記内側パネル部に固着された開封操作用のタブと、
前記内側パネル部と前記外側パネル部との少なくともいずれか一方に、前記スコア線と隣接しかつ前記パネル部を折り畳んで形成された重層部とを備え、
前記重層部は、前記スコア線から前記半径方向に延びる第１層と、前記第１層を前記半径方向で前記スコア線側に折り返して形成された第２層と、前記第２層を前記半径方向で前記スコア線とは反対側に折り返して形成された第３層とを有している缶蓋において、
前記第２層と前記第３層との折り返し部の先端部が、前記缶蓋を開封することによって前記第１層に形成された破断端の保護部を成しており、かつ、
前記缶蓋の軸線方向で、前記第２層と前記第１層における前記スコア線側の端部との間隔が、前記第２層と前記第１層における前記スコア線とは反対側の端部との間隔よりも狭い
ことを特徴とする缶蓋。
【請求項２】
請求項１に記載の缶蓋において、
前記重層部は、前記外側パネル部に形成されている
ことを特徴とする缶蓋。
【請求項３】
請求項１または２に記載の缶蓋において、
前記外側パネル部と前記内側パネル部とは、前記スコア線を境界として屈曲して形成されている
ことを特徴とする缶蓋。
【請求項４】
請求項１ないし３のいずれか一項に記載の缶蓋において、
前記缶蓋は、両面のうちの少なくともいずれか一方の面に耐食性のある合成樹脂被膜が形成された金属板によって形成されており、
前記合成樹脂被膜は塗膜によって形成されている
ことを特徴とする缶蓋。
【発明の詳細な説明】
【技術分野】
【０００１】
この発明は、全面開口タイプの缶蓋に関し、特に、開蓋後における破断端を安全にした缶蓋に関するものである。
【０００２】
この種の缶蓋の一例が特許文献１ないし３に記載されている。特許文献１に記載された缶蓋は、内容物に対する耐食性のある樹脂被膜が形成された金属板によって構成されている。その缶蓋は円板状のパネル部を備え、パネル部の外周部に易破断線であるスコア線が環状に形成されている。パネル部の半径方向でスコア線より内側の内側パネル部が開口片となっている。その内側パネル部の外周縁部と、半径方向でスコア線より外側の外側パネル部の内周縁部とのそれぞれに、パネル部を２回、折り畳んで重層部が形成されている。それらの重層部における２つの折り返し部のうち、スコア線側に位置する折り返し部がいわゆる保護部となっており、それらの保護部に、缶蓋を開封することによって生じた破断端が接近して配置されるように各重層部が構成されている。具体的には、缶蓋の軸線方向への各重層部の潰し量を大きくすることによって各重層部の高さが可及的に低く設定されている。また、内側パネル部と外側パネル部とは、ほぼ同一の平面上に形成されている。
【０００３】
特許文献２や特許文献３に記載された缶蓋では、パネル部の半径方向で外周部は、その中央部に対して容器の内側に傾斜して形成されている。その外周部にパネル部の外形に倣った環状のスコア線が形成されている。また、特許文献２に記載された缶蓋では、缶蓋を開封することによって生じた破断端を保護するループ部が、パネル部の半径方向でスコア線を挟んだ両側にそれぞれに形成されている。特許文献３に記載された缶蓋では、パネル部の半径方向でスコア線よりも外側部分に上記のループ部が形成されている。それらのループ部は、特許文献１に記載された重層部と同様に、パネル部を２回、折り畳んで構成されており、それらのループ部における２つの折り返し部のうち、スコア線側に位置する折り返し部がいわゆる保護部となっている。
【先行技術文献】
【特許文献】
【０００４】
【特許文献１】特開２００６−２６４７０７号公報
【特許文献２】特公平４−５５９４１号公報
【特許文献３】特開昭６０−２０４４５２号公報
【発明の概要】
【発明が解決しようとする課題】
【０００５】
特許文献１に記載されているように、缶蓋を開封することによって生じた破断端と保護部として機能する折り返し部とを接近して配置するために、缶蓋の軸線方向への各重層部の潰し量を大きくすると、重層部の変形に追従して樹脂被膜が変形することができず、樹脂被膜に割れや亀裂などの欠損が生じる可能性がある。特に、このような欠損が缶蓋の内面に生じると、缶蓋の内面品位が低下し、また、露出した金属板と内容物とが接触して金属板が腐食する可能性がある。一方、重層部の潰し量を小さくすると、保護部として機能する折り返し部から破断端が離隔してしまい、安全性が低下する可能性がある。なお、特許文献２および３に記載された缶蓋であっても、パネル部を折り畳んでループ部を形成し、そのループ部の折り返し部によって破断端を保護するように構成されているため、特許文献１と同様の課題がある。
【０００６】
この発明は、上記の技術的課題に着目してなされたものであって、開封後における缶蓋の安全性を確保できると共に、耐食性が良好な缶蓋を提供することを目的とするものである。
【課題を解決するための手段】
【０００７】
この発明は、上記の目的を達成するために、円板状のパネル部と、前記パネル部の半径方向で前記パネル部の周縁部よりも内側に前記周縁部に沿って形成された環状のスコア線と、前記スコア線の内側の部分である内側パネル部と、前記スコア線の外側の部分である外側パネル部と、前記内側パネル部に固着された開封操作用のタブと、前記内側パネル部と前記外側パネル部との少なくともいずれか一方に、前記スコア線と隣接しかつ前記パネル部を折り畳んで形成された重層部とを備え、前記重層部は、前記スコア線から前記半径方向に延びる第１層と、前記第１層を前記半径方向で前記スコア線側に折り返して形成された第２層と、前記第２層を前記半径方向で前記スコア線とは反対側に折り返して形成された第３層とを有している缶蓋において、前記第２層と前記第３層との折り返し部の先端部が、前記缶蓋を開封することによって前記第１層に形成された破断端の保護部を成しており、かつ、前記缶蓋の軸線方向で、前記第２層と前記第１層における前記スコア線側の端部との間隔が、前記第２層と前記第１層における前記スコア線とは反対側の端部との間隔よりも狭いことを特徴としている。
【０００８】
この発明では、前記重層部は、前記外側パネル部に形成されていてよい。
【０００９】
この発明では、前記外側パネル部と前記内側パネル部とは、前記スコア線を境界として屈曲して形成されていてよい。
【００１０】
この発明では、前記缶蓋は、両面のうちの少なくともいずれか一方の面に耐食性のある合成樹脂被膜が形成された金属板から形成されており、前記合成樹脂被膜は塗膜によって形成されていてよい。
【発明の効果】
【００１１】
この発明によれば、パネル部を三層に折り畳んで重層部が形成されており、その三層のうち、第２層と第３層との折り返し部の先端部が、缶蓋を開封することによって生じた第１層の破断端に被さった状態になることにより前記破断端の保護部として機能するようになっている。具体的には、内側パネル部と外側パネル部との少なくともいずれか一方に、重層部が形成されている。外側パネル部に重層部が形成されている場合と、内側パネル部に重層部が形成されている場合と、あるいは外側パネル部と内側パネル部との両方に重層部が形成されている場合とのいずれの場合であっても、軸線方向で第２層と第１層におけるスコア線側の端部との間隔が、第２層と第１層におけるスコア線とは反対側の端部との間隔よりも狭く設定されている。つまり、缶蓋を開封することによって生じた第１層の破断端のいわゆる保護性を特には損なうことなく、各折り返し部の曲率半径を大きくしたり、重層部の全体の潰し量を小さくしたりすることができる。その結果、缶蓋の内面に割れや亀裂などの欠損が生じにくくなり、内面に欠損が生じることによる内面品位の低下を抑制できると共に、缶蓋の耐食性を向上できる。また、先端部と第１層の破断端とが接近しているため、つまり、上記の破断端は先端部によって保護されるため、破断端に指などが単独で接触しにくくなり、安全性が向上する。
【図面の簡単な説明】
【００１２】
【図１】この発明に係る缶蓋の一例を示す正面図である。
【図２】この発明に係る缶蓋をその中心を通る直線に沿って切断した断面図である。
【図３】この発明に係る缶蓋の外周部の一部を拡大して示す断面図である。
【発明を実施するための形態】
【００１３】
つぎに、この発明に係る缶蓋を具体例に基づいて説明する。その缶蓋は果物や魚肉、野菜などの食品を内容物として充填する図示しない缶容器の開口部を密封するものである。上記の缶蓋は、内容物を取り出しやすく、また、缶容器を開封して缶蓋の開口片を取り除いた後に、缶容器を器として使用できるようにするために、缶蓋のほぼ全面を開口できるように構成されたいわゆるフルオープンタイプの缶蓋である。さらに、上記の缶蓋は、内容物と接触することによる腐食を抑制するために、少なくとも内容物と接触する内面に、耐食性のある合成樹脂被膜が施されたアルミニウムやスチール、あるいは、アルミ合金等の従来知られている金属板を素材としており、その金属板からプレス成形される。なお、上述した缶容器は、缶胴に底部が一体に構成されているツーピース缶や、缶胴と底部とは別体として構成されているスリーピース缶であってよい。合成樹脂被膜は従来知られている耐食性のある合成樹脂被膜と同様に構成されており、一例として、ポリエステル系樹脂であるポリエチレンテレフタレート樹脂の塗膜によって構成されている。
【００１４】
図１は、この発明に係る缶蓋１の一例を示す正面図である。図２は、この発明に係る缶蓋１をその中心を通る直線に沿って切断した断面図である。図１および図２に示すように、缶蓋１は円板状のパネル部２を備えており、パネル部２の外周部の全体には、缶蓋１を図示しない缶胴に巻き締めるためのフランジ部３が形成されている。パネル部２のうち、缶蓋１の半径方向でフランジ部３よりも内側には、パネル部２の円周方向の全周に亘って易破断線であるスコア線４が形成されている。パネル部２のうち、スコア線４によって区画された内側部分がこの発明の内側パネル部に相当する開口片５となっている。半径方向で開口片５の上面における一方側に偏って缶蓋１の開封操作用のタブ６が取り付けられている。パネル部２のうち、スコア線４の外側部分とフランジ部３との間の部分が外側パネル部７となっている。
【００１５】
ここでスコア線４の形状および開口片５の形状について説明すると、スコア線４は所定の残厚が生じるようにパネル部２に形成したＶ字状断面の切り込み線もしくは窪み線であって、破断がスムーズに進行するように滑らかな曲線として形成されている。このスコア線４はパネル部２から開口片５を除去できるようにするために、パネル部２の外形に倣った環状に形成されている。したがって、スコア線４に沿って破断を進行させて開口片５を除去することによって生じる開口部の形状は開口片５の外形と同様の形状になる。なお、スコア線４は缶蓋１の外面に形成されている。これにより、パネル部２にスコア線４を形成することによる缶蓋１の内面の合成樹脂被膜の損傷を抑制することができる。
【００１６】
タブ６はテコ作用によってスコア線４の一部に破断を生じさせ、その後に開口片５を引き上げることによってスコア線４に沿って破断を進行させて缶蓋１から開口片５を切り離すものである。したがって、タブ６の一方の端部には、開封操作時にタブ６を引き上げるために指を掛ける指掛け部８が形成されており、他方の端部には、開口片５を押し下げてスコア線４の一部に破断を生じさせる押し下げ部９が形成されている。指掛け部８はここに示す例では、環状に形成されている。押し下げ部９は開口片５におけるスコア線４の近傍にまで延びており、スコア線４の近傍の開口片５に接触もしくは可及的に接近して設けられている。また、タブ６の長さ方向で押し下げ部９側に貫通孔が形成されている。これに対してパネル部２における貫通孔に対応する箇所に、パネル部２の外面側に突出したリベット部１０が形成されている。貫通孔にリベット部１０を挿入し、貫通孔から突出したリベット部１０の上部をカシメることにより、パネル部２にタブ６が取り付けられている。
【００１７】
また、パネル部２には、当該パネル部２の剛性を向上させるビード部１１が形成されている。ビード部１１は、図１に示す例では、スコア線４に沿いかつ押し下げ部９側に開口した円弧状であって、缶蓋１の外面側にパネル部２から突出して形成されている。パネル部２における指掛け部８に対応する箇所には、つまり、缶蓋１の高さ方向で指掛け部８の下側には、缶蓋１の内面側に窪んでおり、指掛け部８に指を掛けやすくする指掛け用凹部１２が形成されている。さらに、缶蓋１の開口初期操作時におけるタブ６の引き上げを容易にするための補助スコア線１３が、半径方向でリベット部１０の内側に形成されている。補助スコア線１３は、図１に示すように、リベット部１０の外周に沿って湾曲した部分から図１の横方向（パネル部２の円周方向）に円弧状に延びている。
【００１８】
図３は、この発明に係る缶蓋の外周部の一部を拡大して示す断面図である。図３に示すように、外側パネル部７には、パネル部２を折り畳んで重層部１４が形成されている。重層部１４はスコア線４から半径方向で外側に延びる下層１５と、下層１５をスコア線４側に折り返して下層１５の上側に位置する中間層１６と、中間層１６をスコア線４とは反対に折り返して中間層１６の上側に位置する上層１７とによって構成されている。上層１７に滑らかに連続してフランジ部３が形成されている。なお、下層１５がこの発明の第１層に相当し、中間層１６がこの発明の第２層に相当し、上層１７がこの発明の第３層に相当している。
【００１９】
下層１５と開口片５とはスコア線４を境界あるいは屈曲点として屈曲して形成されている。具体的には、下層１５は開口片５に対して図示しない缶容器の内側に傾斜して形成されている。つまり、下層１５と開口片５とは同一平面もしくは同一の直線上に形成されていない。中間層１６と上層１７と開口片５とは、図３に示す例では、互いにほぼ平行に設定されている。下層１５と中間層１６とは第１折り返し部１８によって滑らかに接続されており、中間層１６と上層１７とは第２折り返し部１９によって滑らかに接続されている。したがって、軸線方向における下層１５と中間層１６との間隔は、半径方向で内側から外側に向かって次第に広くなっている。また、軸線方向における重層部１４の厚さあるいは高さは、半径方向で内側から外側に向かって次第に高くなっている。各折り返し部１８，１９の曲率半径はほぼ同じ曲率半径に設定され、または、第１折り返し部１８の曲率半径が第２折り返し部１９の曲率半径よりも大きく設定されている。
【００２０】
第２折り返し部１９の先端部２０は、スコア線４の上側であって、半径方向でスコア線４とほぼ同一の半径位置、もしくは、半径方向でスコア線４より僅かに外側に位置している。第２折り返し部１９の先端部２０は、要は、缶蓋１を開封することによって生じた下層１５の内周縁部１５Ａに形成される破断端に被さった状態になるように構成されている。そして、図３に示すように、缶蓋１の軸線方向において、下層１５の内周縁部１５Ａは、下層１５の外周縁部１５Ｂよりも先端部２０側つまり中間層１６に接近して構成されている。そのため、前記軸線方向で下層１５の内周縁部１５と中間層１６との間隔Ｄ１は、下層１５の外周縁部１５と中間層１６との間隔Ｄ２よりも狭い。言い換えれば、下層１５と中間層１６とによって形成される空間における前記軸線方向の高さは、前記半径方向で内側から外側に向かって次第に高くなっている。なお、第２折り返し部１９が、この発明の第２層と第３層との折り返し部に相当しており、第２折り返し部１９の先端部２０が、この発明の保護部に相当している。
【００２１】
ついで、上記構成の缶蓋１の作用について説明する。図示しない缶容器を開封するために、タブ６の指掛け部８に指を掛けてタブ６を引き起こすと、開口片５のうち、スコア線４よりも内側の部分に押し下げ部９が押し当てられる。そして、押し下げ部９を支点とし、リベット部１０を作用点とした第２種のテコ作用によってリベット部１０の近傍に形成された補助スコア線１３に破断が生じる。タブ６を更に引き起こすと、リベット部１０を支点とし、押し下げ部９を作用点とした第１種のテコ作用が生じ、押し下げ部９の近傍のスコア線４に破断が生じると共に、開口片５の一部が押し下げ部９によって缶容器の内側に折り曲げられる。これに続いて、軸線方向で缶蓋１の上側にタブ６を持ち上げると、スコア線４に沿って破断が次第に進行し、ついには缶蓋１から開口片５が切り離される。こうして缶蓋１のほぼ全面が開封される。
【００２２】
このように、この発明の缶蓋１では、スコア線４の溝幅を広げるようにスコア線４を変形させてある状態からスコア線４に破断を生じさせて缶蓋１を開封する。そのため、従来に比較して小さい荷重でスコア線４を破断させることができる。つまり、開封しやすく、いわゆる開蓋性を向上させた缶蓋１を得ることができる。また、軸線方向において、下層１５の内周縁部１５Ａは下層１５の外周縁部１５Ｂよりも中間層１６に接近させて構成されている。そのため、缶蓋１を開封すると、上記の先端部２０は、開封によって生じた下層１５の内周縁部１５Ａに形成された破断端に被さった状態になる。先端部２０がいわゆる保護部として機能するため、上記の破断端に直接、指などが触れにくくなり、開封後の缶容器の安全性が向上する。なお、上記の破断端に指が触れるとしても、それらは互いに接近して設けられているため、指との接触面積が増大することとなり、破断端による指などの損傷を抑制できる。
【００２３】
さらに、上記構成の缶蓋１では、図３に示すように、缶蓋１の軸線方向で、中間層１６と下層１５の内周縁部１５Ａとの間隔Ｄ１が、中間層１６と下層１５の外周縁部１５Ｂとの間隔Ｄ２よりも狭くなるように構成されている。換言すると、軸線方向における下層１５と中間層１６との間隔は、半径方向で内側から外側に向かって次第に広くなっている。そのため、先端部２０による破断端の保護性を損なわない範囲で、第１折り返し部１８の曲率半径と第２折り返し部１９の曲率半径とをそれぞれ大きくすることができる。その結果、金属板や合成樹脂被膜の変形量やひずみを小さくできるので、金属板や合成樹脂被膜の割れや亀裂などの欠損が生じにくくなり、缶蓋１の内面品位が向上する。また、金属板の露出が抑制されるから缶蓋１の耐食性を向上できる。なお、スコア線４の破断端のうち、開口片５に形成される破断端は開口片５と共に取り除かれるため、特には問題とならない。
【００２４】
この発明は上述した実施形態に限定されないのであって、この発明の目的を達成する範囲で適宜に変更してよい。例えば、半径方向で開口片５の外周縁部に、開口片５に形成されるスコア線４の破断端を保護する重層部１４が形成されていてもよい。その場合には、半径方向で第２層と第３層との折り返し部の先端部が、第１層におけるスコア線４側の端部と半径方向で同じ位置、もしくは、半径方向でスコア線４より僅かに内側に位置していればよい。第２層と第３層との折り返し部の先端部は、要は、缶蓋１を開封することによって第１層におけるスコア線４側の端部に形成される破断端に、被さった状態になるように構成されていればよい。
【符号の説明】
【００２５】
１…缶蓋、  ２…パネル部、  ４…スコア線、  ５…開口片（内側パネル部）、  ６…タブ、  ７…外側パネル部、  １４…重層部、  １５…下層（第１層）、  １５Ａ…下層の内周縁部（第１層におけるスコア線側の端部）、  １５Ｂ…下層の外周縁部（第１層におけるスコア線とは反対側の端部）、  １６…中間層（第２層）、  １７…上層（第３層）、  １９…第２折り返し部（半径方向で第２層と第３層との折り返し部）、  ２０…第２折り返し部の先端部、  Ｄ１…軸線方向で下層の内周縁部と中間層の内周縁部との間隔（軸線方向で第２層と第１層におけるスコア線側の端部との間隔）、  Ｄ２…軸線方向で下層の外周縁部と中間層の外周縁部との間隔（軸線方向で第２層と第１層におけるスコア線とは反対側の端部との間隔）。
【図１】
2020132252.tif 000003
【図２】
2020132252.tif 000004
【図３】
2020132252.tif 000005